(57)【要約】【課題】室内空間全体の視覚的な広がりを感じることができる建物の室内構造及び当該室内構造を有する建物を提供する。【解決手段】建物1の室内構造は、所定の階の室内空間100の一部を構成する第一空間110と、第一空間110に隣接するとともに第一空間110の床111よりも高い床4を有する第二空間120と、を備える。第二空間120は、ロフト空間120aと、間仕切り3によってロフト空間120aと仕切られ、第一空間110に向かって開放された開放空間120bと、を有する。間仕切り3は、ロフト空間120aと開放空間120bとを連通させる開口部5を有する。建物1は、上記室内構造を有する。【選択図】図２
2018172938.tif 000002
【特許請求の範囲】
【請求項１】
所定の階の室内空間の一部を構成する第一空間と、前記第一空間に隣接するとともに前記第一空間の床よりも高い床を有する第二空間と、を備え、
前記第二空間は、ロフト空間と、間仕切りによって前記ロフト空間と仕切られ、前記第一空間に向かって開放された開放空間と、を有し、
前記間仕切りは、前記ロフト空間と前記開放空間とを連通させる開口部を有する、建物の室内構造。
【請求項２】
前記室内構造は、前記第一空間から前記開口部を通して前記ロフト空間の天井面の少なくとも一部が見られるように構成されている、請求項１に記載の建物の室内構造。
【請求項３】
前記開口部の上端は、前記第二空間の天井面に達しており、前記第一空間から前記ロフト空間にかけて連続した天井面が形成されている、請求項１又は２に記載の建物の室内構造。
【請求項４】
前記開口部は、人の出入りが可能な開口部である、請求項１乃至３のいずれか１項に記載の建物の室内構造。
【請求項５】
前記開口部の下端は、前記ロフト空間の床面よりも高い位置にある、請求項４に記載の建物の室内構造。
【請求項６】
前記間仕切りは、前記開口部を開閉可能な扉手段を有する、請求項４又は５に記載の建物の室内構造。
【請求項７】
前記ロフト空間に、採光窓を有する、請求項１乃至６のいずれか１項に記載の建物の室内構造。
【請求項８】
前記ロフト空間は、昇降手段によって出入り可能な昇降口を有し、前記昇降口は、前記開口部と同じ向きに指向するように配置されている、請求項１乃至７のいずれか１項に記載の建物の室内構造。
【請求項９】
棟が偏った屋根を更に有し、前記棟は、前記第二空間の上方に配置されており、前記第一空間の天井面から前記ロフト空間の天井面の少なくとも一部までは、前記第一空間から前記第二空間に向かって上昇する天井面で構成されている、請求項１乃至８のいずれか１項に記載の建物の室内構造。
【請求項１０】
前記第一空間の、前記第二空間と対向する位置に壁を有する、請求項１乃至９のいずれか１項に記載の建物の室内構造。
【請求項１１】
請求項１乃至１０のいずれか１項に記載の室内構造を有する、建物。
【発明の詳細な説明】
【技術分野】
【０００１】
本発明は、建物の室内構造及び建物に関する。
【背景技術】
【０００２】
従来の建物の室内構造には、例えば、特許文献１に記載のように、内壁によって小屋根裏収納室と仕切られ、吹き抜けに開放された棚空間を有するものがある。こうした室内構造によれば、棚空間に小物等を陳列することができる。
【先行技術文献】
【特許文献】
【０００３】
【特許文献１】特開平１０−１９６１３８号公報
【発明の概要】
【発明が解決しようとする課題】
【０００４】
しかしながら、本願発明者は、上述した従来の室内構造は、室内空間全体に奥行き感がなく、視覚的な広がりに乏しい印象を受けることを認識するに至った。
【０００５】
本発明の目的は、室内空間全体の視覚的な広がりを感じることができる、建物の室内構造及び建物を提供することである。
【課題を解決するための手段】
【０００６】
本発明に係る建物の室内構造は、所定の階の室内空間の一部を構成する第一空間と、前記第一空間に隣接するとともに前記第一空間の床よりも高い床を有する第二空間と、を備え、前記第二空間は、ロフト空間と、間仕切りによって前記ロフト空間と仕切られ、前記第一空間に向かって開放された開放空間と、を有し、前記間仕切りは、前記ロフト空間と前記開放空間とを連通させる開口部を有する。本発明に係る建物の室内構造によれば、間仕切りに開口部を有することで、室内空間全体の視覚的な広がりを感じることができる。
【０００７】
本発明に係る建物の室内構造は、前記第一空間から前記開口部を通して前記ロフト空間の天井面の少なくとも一部が見られるように構成されていることが好ましい。この場合、室内空間全体の視覚的な広がりをより感じることができる。
【０００８】
本発明に係る建物の室内構造では、前記開口部の上端は、前記第二空間の天井面に達しており、前記第一空間から前記ロフト空間にかけて連続した天井面が形成されていることが好ましい。この場合、室内空間全体の視覚的な広がりをより感じることができる。
【０００９】
本発明に係る建物の室内構造では、前記開口部は、人の出入りが可能な開口部であることが好ましい。この場合、室内空間全体の広がりを視覚的に感じつつ、建物の間取りに自由度を持たせることができる。なお、本明細書中、「人の出入り」とは、人の体全体の出入りの他、人の体の一部（例えば、腕）の出し入れも含まれる。
【００１０】
本発明に係る建物の室内構造では、前記開口部の下端は、前記ロフト空間の床面よりも高い位置にあるものとすることが可能である。この場合、不注意による落下事故を防止することができる。
【００１１】
本発明に係る建物の室内構造では、前記間仕切りは、前記開口部を開閉可能な扉手段を有することが可能である。この場合、危険性に対する警戒心が弱い小児等の開放空間への出入りを抑制することができる。
【００１２】
本発明に係る建物の室内構造では、前記ロフト空間に、採光窓を有することが好ましい。この場合、室内空間全体の視覚的な広がりをより感じることができる。
【００１３】
本発明に係る建物の室内構造では、前記ロフト空間は、昇降手段によって出入り可能な昇降口を有し、前記昇降口は、前記開口部と同じ向きに指向するように配置されている。この場合、室内空間全体の視覚的な広がりをより感じることができる。
【００１４】
本発明に係る建物の室内構造では、棟が偏った屋根を更に有し、前記棟は、前記第二空間の上方に配置されており、前記第一空間の天井面から前記ロフト空間の天井面の少なくとも一部までは、前記屋根の緩勾配屋根に沿って、前記第一空間から前記第二空間に向かって上昇する天井面で構成されていることが好ましい。この場合、室内空間全体の視覚的な広がりをより感じることができる。
【００１５】
本発明に係る建物の室内構造では、前記第一空間の、前記第二空間と対向する位置に壁を有することが好ましい。この場合、壁に沿って椅子を配置すれば、室内空間全体の広がりも視覚的に感じ易くなる。
【００１６】
本発明に係る建物は、上記のいずれか１つの室内構造を有する。本発明に係る建物によれば、室内空間全体の視覚的な広がりを感じることができる。
【発明の効果】
【００１７】
本発明によれば、室内空間全体の視覚的な広がりを感じることができる建物の室内構造及び建物を提供することができる。
【図面の簡単な説明】
【００１８】
【図１】本発明の一実施形態に係る建物を、当該建物の屋根の一部を仮想線及び断面で示す斜視図である。
【図２】図１の縦断面図である。
【図３】図１の建物の第一空間及び第三空間を示す平面図である。
【図４】図１の建物の第一空間及び第二空間を示す平面図である。
【図５】図１の建物の二階部分を、比較例としての切妻屋根の建物と共に概略的に示す縦断面図である。
【発明を実施するための形態】
【００１９】
以下、図面を参照して、本発明の一実施形態に係る建物、及び、当該建物に採用された、本発明の一実施形態に係る建物の室内構造を説明する。
【００２０】
図１中、符号１は、本発明の一実施形態に係る建物である。建物１は、寄棟形式の屋根２を有する２階建ての住宅である。図２に示すように、建物１は、１階部１Ａと、２階部１Ｂと、小屋裏部１Ｃとを有する。１階部１Ａは、玄関及び寝室子供等として利用される複数の個室を有する。また図３に示すように、２階部１Ｂは、公共の空間である居間、台所・食堂、浴室、洗面室、トイレを有する。更に２階部１Ｂは、居間から出入り可能な外部空間であるベランダを有する。図１に示すように、建物１の屋根２の棟２ｃは北側に偏った位置に配置されている。また屋根２は、南側を向く緩勾配屋根部２ａと北側を向く急勾配屋根部２ｂとを有している。緩勾配屋根部２ａの屋根勾配は、例えば約２０度である。また急勾配屋根部２ｂの屋根勾配は、例えば約５７度である。また図１に示すように、本実施形態では、東側を向く屋根部２ｄ及び西側を向く屋根部２ｅも急勾配屋根部２ｂと同一の屋根勾配を有する。
【００２１】
図２中、符号１００は、２階部１Ｂ及び小屋裏部１Ｃの室内空間である。本実施形態では、室内空間１００は、第一空間１１０、第二空間１２０及び第三空間１３０で構成されている。第一空間１１０は、室内空間１００の南寄りの領域において、２階部１Ｂから小屋裏部１Ｃにかけて形成された、居間として利用される空間である。第二空間１２０は、小屋裏部１Ｃの北寄りの領域であって、第一空間１１０の小屋裏部１Ｃの領域に隣接する位置に配置されている。第二空間１２０は、ロフト空間１２０ａと、間仕切り３によってロフト空間１２０ａと仕切られ、第一空間１１０に向かって開放された開放空間１２０ｂ、言い換えれば、第一空間１１０側が開放された開放空間１２０ｂと、を有している。第二空間１２０の床４は、第一空間１１０の床１１１よりも高く設定されている。具体例としては、第二空間１２０の床４の床面（１２１ａ及び１２１ｂ）は、第一空間１１０の床１１１の床面１１１ｆよりも１階層分（２．８ｍ〜３．０ｍ程度）高く設定されている。図３に示すように、第三空間１３０は、対面式のキッチンセットを備えており、台所・食堂として利用される空間である。図２に示すように、第三空間１３０は、第二空間１２０の下方に形成されており、住宅として標準的な天井高（例えば、２．４〜２．６ｍ）を有する。第二空間１２０と第三空間１３０とも間には、間仕切り壁は存在せず、第二空間１２０と第三空間１３０とは、第一空間１１０を介して一体的な空間を形成している。なお、第二空間１２０の床４は、全領域にわたって一般的な居室と同等の積載荷重を見込んだ設計がなされている。また、第三空間１３０は省略することができる。具体的には、室内空間である第三空間１３０に代えて、ベランダ等の外部空間としてその上方に第二空間１２０を設けることができる。図１及び図３に示すように、第一空間１１０が面する南側の外周壁１１には腰高タイプの窓１０が設けられている。
【００２２】
また図２に示すように、本実施形態に係る建物１では、室内空間１００における天井面は、第一空間１１０の天井面１１２、開放空間１２０ｂの天井面１２２ｂ、ロフト空間１２０ａの天井面１２２ａで形作られている。第一空間１１０の天井面１１２、及び開放空間１２０ｂの天井面１２２ｂは、緩勾配屋根部２ａに沿って延在している。また、ロフト空間１２０ａの天井面１２２ａは、緩勾配屋根部２ａに沿った緩勾配の天井面（以下、「緩勾配天井面」ともいう）１２３、棟２ｃ近傍の平坦な天井面１２４及び急勾配屋根部２ｂに沿った急勾配の天井面（以下、「急勾配天井面」ともいう）１２５で形作られている。ここで、第一空間１１０の天井面１１２、開放空間１２０ｂの天井面１２２ｂ、及びロフト空間１２０ａの緩勾配天井面１２３は、同一平面内に形成されている。
【００２３】
本実施形態に係る建物１の室内構造は、第一空間１１０と、第二空間１２０と、を備え、第二空間１２０は、ロフト空間１２０ａと、開放空間１２０ｂと、を有している。また本実施形態に係る建物１の室内構造では、間仕切り３は、ロフト空間１２０ａと開放空間１２０ｂとを連通させる開口部５を有する。本実施形態に係る建物１の室内構造によれば、間仕切り３に、ロフト空間１２０ａを見通せる開口部５を有することで、第一空間１１０側から開口部５を通して間仕切り３よりも奥（裏）のロフト空間１２０ａまで見通すことができる。このため、室内空間１００全体に奥行き感が得られる。従って、本実施形態に係る建物１の室内構造によれば、室内空間１００全体の視覚的な広がりを感じることができる。
【００２４】
なお、本実施形態では、図１に示すように、開口部５の形状が横長の矩形形状であるが、開口部５の形状は、適宜、変更することができ、例えば、他の多角形円形、楕円形等の形状とすることができる。
【００２５】
また本実施形態に係る建物１の室内構造は、第一空間１１０から開口部５を通してロフト空間１２０ａの天井面１２２ａの少なくとも一部が見られるように構成されている。この場合、図２に示すように、第一空間１１０から第二空間１２０を見上げたときに、間仕切り３の開口部５を通して、より高く奥まった位置にあるロフト空間１２０ａの天井面１２２ａの少なくとも一部を見ることができる。従って、室内空間１００全体の視覚的な広がりをより感じることができる。例えば、第一空間１１０から開口部５を通してロフト空間１２０ａの天井面１２２ａの少なくとも一部が見られるように、開口部５を構成し、又は、当該開口部５の周辺もしくは室内構造全体をレイアウトすることができる。本実施形態では、開口部５は、第一空間１１０から開口部５を通してロフト空間１２０ａの天井面１２２ａの少なくとも一部を見ることが可能な大きさを有している。開口部５の大きさは、例えば、高さ、幅、直径（半径）、開口面積等で規定することができる。
【００２６】
なお、本明細書中において、間仕切り３の開口部５を通して「第一空間１１０からロフト空間１２０ａの天井面１２２ａの少なくとも一部を見られる」とは、例えば、図２に示すように、断面視において、第一空間１１０の床１１１の床面１１１ｆの南側端Ｐ１と開放空間１２０ｂの床４の先端部４ｅの上端Ｐ２とを結ぶ直線の延長線Ｌ１が、ロフト空間１２０ａの内部に到達するように設定されていることが好ましく、或いは、図２〜図４に示すように、第一空間１１０の南北方向の中央であって、第一空間１１０の床面１１１ｆからの高さが１ｍとなる点Ｐ３と、開放空間１２０ｂの床４の先端部４ｅの上端Ｐ２とを結ぶ直線の延長線Ｌ２が、ロフト空間１２０ａの内部に到達するように設定されていることが好ましい。このように構成することで、例えば、外周壁１１近傍の第一空間１１０の床面１１１ｆに直座りした状態、或いは、第一空間１１０の中央部に置かれたソファに座った状態で、開口部５を通してロフト空間１２０ａの内部を見通すことができ、更に、開放空間１２０ｂを陳列空間として使用した場合、開放空間１２０ｂの床面１２１ｂに置いた陳列物を眺めることもできる。
【００２７】
また図２に示すように、本実施形態に係る建物１の室内構造では、開口部５の上端５ａは、第二空間１２０の天井面に達しており、第一空間１１０からロフト空間１２０ａにかけて連続した天井面が形成されている。具体的には、第二空間１２０の天井面は、ロフト空間１２０ａの天井面１２２ａ及び開放空間１２０ｂの天井面１２２ｂで構成されている。また本実施形態では、開口部５の上端５ａは、第二空間１２０における、開放空間１２０ｂの天井面１２２ｂ及びロフト空間１２０ａの緩勾配天井面１２３に達しており、第一空間１１０の天井面１１２からロフト空間１２０ａの緩勾配天井面１２３にかけて連続した天井面が形成されている。この場合、第一空間１１０から第二空間１２０を見上げたときに、天井面の連続性により、室内空間１００全体の視覚的な広がりをより感じることができる。なお、開口部５の上端５ａは、ロフト空間１２０ａの天井面１２２ａ及び開放空間１２０ｂの天井面１２２ｂと同一平面を構成する場合は勿論、ロフト空間１２０ａの天井面１２２ａ及び開放空間１２０ｂの天井面１２２ｂから僅かに突出していてもよい。即ち、第一空間１１０からロフト空間１２０ａにかけて連続した天井面には、第一空間１１０からロフト空間１２０ａにかけて天井面を同一平面で構成する場合は勿論、開口部５の上端５ａがロフト空間１２０ａの天井面１２２ａ及び開放空間１２０ｂの天井面１２２ｂから僅かに突出するものも含む。
【００２８】
また本実施形態に係る建物１の室内構造では、開口部５は、人の出入りが可能な開口部である。この場合、室内空間１００全体の視覚的な広がりを感じることができることに加え、第二空間１２０に昇降するための昇降手段９をロフト空間１２０ａ、開放空間１２０ｂの夫々に設ける必要がないので、更に昇降手段９が着脱式の場合は、その接続位置をロフト空間１２０ａ、開放空間１２０ｂの夫々に設定する必要がないので、建物１の間取りに自由度を持たせることができる。また人が開口部５を通してロフト空間１２０ａから開放空間１２０ｂに出入りできることから、開放空間１２０ｂを陳列空間として使用した場合、交換用の陳列物をロフト空間１２０ａにストックしておくことで陳列物の上げ下げをいちいち行う必要がなくなり、陳列物の入れ替え作業等を容易に行うことができる。開口部５の大きさは、例えば、建築基準法施行令における非常用進入口の大きさに関する規定に準じて、開口部５の形状が四角形状の場合は、幅寸法を０．７５ｍ以上、且つ高さ寸法を１．２ｍ以上とすることができ、他の形状の場合は、半径１ｍの円が内接する大きさ以上とすることができる。なお、「人の出入りが可能な開口部」とは、人の体全体の出入りの他、陳列物の入れ替えや開放空間１２０ｂの床面１２１ｂの清掃等を行なうために人の体の一部（例えば、腕）を出し入れすることが可能な開口部も含まれる。
【００２９】
また本実施形態に係る建物１の室内構造では、開口部５の下端５ｂは、ロフト空間１２０ａの床面１２１ａよりも高い位置にある。この場合、人が間仕切り３の開口部５を通してロフト空間１２０ａから開放空間１２０ｂに入る際には、開口部５の下端５ｂの下方の突出部を跨ぐ等の動作が必要となり、不注意による落下事故を防止することができる。ロフト空間１２０ａの床面１２１ａから開口部５の下端５ｂまでの高さｈ３としては、例えば、１００ｍｍ以上２００ｍｍ以下とすることができる。
【００３０】
また図２及び図４に示すように、本実施形態に係る建物１の室内構造では、間仕切り３は、開口部５を開閉可能な扉手段６を有している。本実施形態における扉手段６は、透視性を有する引戸形式のガラス戸である。この場合、危険性に対する警戒心が弱い小児等の開放空間１２０ｂへの出入りを抑制することができる。扉手段６が透視性を有するので、扉手段６を閉じた状態であっても、第一空間１１０から第二空間１２０を見上げたときの視覚的な広がりに対する影響を抑えることができる。更に扉手段６としては、粗いメッシュ状の柵、透明アクリルパネルからなる戸等が適用でき、開き戸式であっても着脱式であってもよい。
【００３１】
また本実施形態に係る建物１の室内構造では、図２に示すように、ロフト空間１２０ａに、採光窓７を有している。この場合、ロフト空間１２０ａ内が明るくなることで、第一空間１１０に向けての、間仕切り３の開口部５からの自然採光が確保される。これにより、室内空間１００全体の視覚的な広がりをより感じることができる。また開放空間１２０ｂを、陳列物を陳列する空間とした場合、陳列物をその背後から自然採光で照らすという、陳列物の演出効果も得られる。特に本実施形態では、採光窓７は、第一空間１１０とは開口部５を挟んで反対側の、急勾配屋根部２ｂに沿った急勾配天井面１２５に設けられている。この場合、第一空間１１０に向けての、間仕切り３の開口部５からの自然採光がより効果的に確保される。これにより、室内空間１００全体の視覚的な広がりをよりに感じることができる。なお、採光窓７としては、通風機能を兼ね備える開閉式の窓を採用することも、通風機能を備えない嵌め殺し式の窓を採用することもできる。
【００３２】
また本実施形態に係る建物１の室内構造では、図１、図２及び図４に示すように、ロフト空間１２０ａは、昇降口８を有している。立て掛け式（着脱式）の梯子である昇降手段９を昇降口８の位置に合わせて立て掛けることによって、第一空間１１０からロフト空間１２０ａへの人の出入りが可能となる。昇降口８は、開口部５と同じ向きに指向するように配置されている。この場合、第一空間１１０からは、間仕切り３の開口部５に加えてロフト空間１２０ａの昇降口８を介してロフト空間１２０ａを見通すことができ、室内空間１００全体の視覚的な広がりをより感じることができる。
【００３３】
また本実施形態に係る建物１の室内構造は、図２に示すように、棟２ｃが偏った屋根２を更に有し、棟２ｃは、ロフト空間１２０ａの上方に配置されており、第一空間１１０の天井面１１２からロフト空間１２０ａの天井面１２２ａの少なくとも一部までは、第一空間１１０から第二空間１２０に向かって上昇する天井面で構成されている。具体的には、棟２ｃが一方の外周壁１１（北側の外周壁１１）に偏った寄棟形式屋根２を有し、棟２ｃは第二空間１２０のロフト空間１２０ａの真上に位置するとともに、第一空間１１０の天井面１１２からロフト空間１２０ａの緩勾配天井面１２３までは、緩勾配屋根部２ａに沿って、第一空間１１０から第二空間１２０に向かって上昇する天井面が形成されている。この場合、天井面（１１２、１２２ｂ及び１２３）が第二空間１２０まで連続している様子が第一空間１１０から視認しやすく、また、高い天井高を有する第一空間１１０の領域が広く確保され、本実施形態では、第一空間１１０の南北方向の長さが大きく確保される。従って、室内空間１００全体の視覚的な広がりをより感じることができる。また、例えば、図５に破線で示すような、棟の高さが建物１と同一の棟２ｃ´を有し、勾配屋根２ａ´及び２ｂ´が等辺の一般的な寄棟屋根において、建物１と同じ位置に第二空間１２０を形成した場合と比較すると、図５の斜線領域で示す分だけ第二空間１２０、本実施形態では、ロフト空間１２０ａの容積を広く確保することができる。また一般的な寄棟形式の屋根を有した構造の場合、上記第二空間１２０の容積と同等の容積を確保する為には、棟２ｃ´の位置を高くしなければならならず、建築コストの増大につながるとともに、斜線制限等の法的規制に抵触しやすくなる。即ち、本発明によれば、建築コスト及び法的規制の面でも有利である。
【００３４】
また本実施形態に係る建物１の室内構造では、第一空間１１０の、第二空間１２０と対向する位置に外周壁１１を有する。具体的には、第一空間１１０の、第二空間１２０と対向する南側の位置には、外周壁１１が設けられている。この場合、外周壁１１に沿ってソファ等の椅子１２を配置し易い。外周壁１１に沿って椅子１２を配置すれば、当該椅子１２から第二空間１２０に向かって連続する天井面や開放空間１２０ｂを見やすくなり、室内空間１００全体の視覚的な広がりも感じ易くなる。なお、図３に示すように、本実施形態では、外周壁１１には窓１０が設けられているが、窓１０の下端の高さは第二空間１２０の床面１１１ｆから８００ｍｍ以上であり、居間に置かれる一般的なソファ等の椅子１２の配置には影響を与えない高さであり、ソファ等の椅子１２の配置によって採光性が犠牲になることはない。  
【００３５】
上述したところは、本発明の様々な実施形態の一例であって、特許請求の範囲の記載によれば、種々の変更が可能である。例えば、屋根２は、寄棟屋根の他、陸屋根、片流れ屋根、切妻屋根等であってもよい。また、建物の階数も２階には限定されず、平屋や３階以上であってもよいし、下屋部等中間の階に適用してもよい。
【符号の説明】
【００３６】
１：建物，  １Ａ：１階，  １Ｂ：２階，  ２：屋根，  ２ａ：緩勾配屋根，  ２ｂ：急勾配屋根，  ３：間仕切り，  ４：棚床，  ５：開口部，  ５ａ：開口部の上端，  ５ｂ：開口部の下端，  ６：扉手段，  ７：採光窓，  ８：昇降口，  ９：昇降手段，  １０：腰高窓，  １２：ソファ（椅子），  １１：外周壁，  １００：室内空間，  １１０：第一空間，  １１１：第一空間の床面，  １１２：第一空間の天井面，  １２０：第二空間，  １２０ａ：ロフト空間，  １２０ｂ：開放空間，  １２１ｂ：開放空間の床面，  １２２ｂ：開放空間の天井面，  １２１ａ：ロフト空間の床面，  １２２ａ：ロフト空間の天井面，  １２３：ロフト空間の天井面（緩勾配天井面），  １２４：ロフト空間の天井面（棟天井面），  １２５：ロフト空間の天井面（急勾配天井面），  １３０：第三空間，
【図１】
2018172938.tif 000003
【図２】
2018172938.tif 000004
【図３】
2018172938.tif 000005
【図４】
2018172938.tif 000006
【図５】
2018172938.tif 000007